(57)【要約】【課題】ユーザが選局した番組が表示不可能であることを容易に認識でき、且つ、焼き付きを防止することができる映像表示装置を提供する。【解決手段】表示部１４の表示画面１４１は、複数の映像信号のうち、第１の映像信号に基づく映像を表示する第１表示領域１４１ａと、第１表示領域１４１ａと隣接して第２の映像信号に基づく映像を表示する第２表示領域１４１ｂと、を備え、代替画像表示制御手段（ＣＰＵ１６１、代替画像表示制御プログラム１６３ａ等）は、第１の映像信号の入力が無い場合又は第１の映像信号に基づく映像の表示に対して制限がある場合に、第１表示領域１４１ａに輝度が時間とともに変化する代替画像を表示させ、輝度検出手段（ＣＰＵ１６１、輝度検出プログラム１６４ｂ等）により検出された平均輝度と、代替画像の輝度との輝度差が、所定の範囲内になるように、代替画像の輝度を変化させる。【選択図】図２
2007324844.tif 000002
【特許請求の範囲】
【請求項１】
表示部の表示画面に複数の映像信号に基づく映像を表示可能な映像表示装置において、
前記表示画面は、複数の映像信号のうち、第１の映像信号に基づく映像を表示する第１表示領域と、前記第１表示領域と隣接して第２の映像信号に基づく映像を表示する第２表示領域と、を備え、
前記第１の映像信号の入力が無い場合又は前記第１の映像信号に基づく映像の表示に対して制限がある場合に、前記第１表示領域に輝度が時間とともに変化する代替画像を表示させる代替画像表示制御手段と、
前記第２表示領域に表示される映像の平均輝度を求める輝度検出手段と、
前記代替画像表示制御手段により前記第１表示領域に表示される前記代替画像の色彩及び／又は模様を設定する設定手段と、
を備え、
前記代替画像表示制御手段は、前記輝度検出手段により検出された平均輝度と、前記代替画像の輝度との輝度差が、所定の範囲内になるように、前記代替画像の輝度を変化させることを特徴とする映像表示装置。
【請求項２】
表示部の表示画面に複数の映像信号に基づく映像を表示可能な映像表示装置において、
前記表示画面は、複数の映像信号のうち、第１の映像信号に基づく映像を表示する第１表示領域と、前記第１表示領域と隣接して第２の映像信号に基づく映像を表示する第２表示領域と、を備え、
前記第１の映像信号の入力が無い場合又は前記第１の映像信号に基づく映像の表示に対して制限がある場合に、前記第１表示領域に輝度が時間とともに変化する代替画像を表示させる代替画像表示制御手段を備えることを特徴とする映像表示装置。
【請求項３】
前記第２表示領域に表示される映像の平均輝度を求める輝度検出手段を備え、
前記代替画像表示制御手段は、前記輝度検出手段により検出された平均輝度と、前記代替画像の輝度との輝度差が、所定の範囲内になるように、前記代替画像の輝度を変化させることを特徴とする請求項２に記載の映像表示装置。
【発明の詳細な説明】
【技術分野】
【０００１】
本発明は、表示画面に複数の映像信号に基づく映像を表示可能な映像表示装置に関する。
【背景技術】
【０００２】
従来より、表示画面を複数の領域に分割することで、複数の番組を一つの表示画面で同時に視聴することができる映像表示装置が普及している。分割の態様には様々なものがあるが、例えば、表示画面全体に親画面を表示させ、親画面の一部に子画面を縮小表示させるピクチャインピクチャ（ＰｉｎＰ）表示や、表示画面を２つの領域に分割するツインビューといった方法がある。
しかしながら、このような多画面表示を行う映像表示装置において、例えば、選局した番組のテレビジョン放送信号が受信できない場合や、選局した番組が視聴制限番組に該当して映像がブロックされている場合、テレビジョン受像機に接続された外部映像装置からの映像信号が停止している場合等には、一の表示画面において、映像が表示される領域と、映像が表示されない領域とが発生することとなる。
【０００３】
この場合、例えば、特許文献１には、親画面に映像無信号ＣＨを選局した時は、親画面映像信号の切り替え回路を制御し、子画面と同じ信号を親画面信号として処理する一方、マイクロプロセッサーがオンスクリーンキャラクタ発生回路で子画面以外の期間中はオンスクリーンＲ、Ｇ、Ｂの信号が黒になるようにオンスクリーン画面を作成出力し出力切り替え回路で切り替えることで、映像信号無信号状態においても、親画面が黒画面で安定した子画面を得ることができるテレビジョン受像機が開示されている。
【０００４】
また、例えば、特許文献２には、画像データの伝送エラーが検出された場合にエラーが検出された表示画面に固定の画像データを出力する画像固定出力手段を備え、伝送データが起きた場合であってもエラー画像の表示を防止して、マルチディスプレイの表示効果を維持することができる画像表示装置が開示されている。この特許文献２の技術によれば、代わりとなる固定の画像データを拡大させて表示させることにより、映像が表示されない領域の発生を防ぐことは可能となる。
【０００５】
また、例えば、特許文献３には、予め設定した時間内にリモコン等からの操作信号が無ければ、マルチ画面表示状態に切替えて親画面の映像出力表示を止め、子画面のみの映像出力表示状態に切替えることにより、焼き付きを防止することができる映像表示装置が提案されている。
【特許文献１】特開２００２−２７１７１１３号公報
【特許文献２】特開２００５−１６７６６２号公報
【特許文献３】特開２００１−１９５０４８号公報
【発明の開示】
【発明が解決しようとする課題】
【０００６】
しかしながら、特許文献１のテレビジョン受像機等のように、黒画面上に長時間に渡って子画面を表示させた場合や、映像が表示された領域に黒画面を隣合わせて表示させた場合には、焼き付きが発生するという問題がある。また、同様に、特許文献２のように、映像が表示されない領域に代わりとなる固定の画像データを表示させた場合でも焼き付きが発生する可能性がある。一方、特許文献３のように、予め設定した時間内にリモコン等からの操作信号が無ければ、マルチ画面表示状態に切替えて親画面の映像出力表示を止め、子画面のみの映像出力表示状態に切替えることにより、焼き付きを防止することができるものの、ユーザが選局した番組が表示不可能であることを認識できずに、再度選局操作を行ってしまう等、操作性が悪くなるという問題がある。
【０００７】
本発明の課題は、ユーザが選局した番組が表示不可能であることを容易に認識でき、且つ、焼き付きを防止することができる映像表示装置を提供することである。
【課題を解決するための手段】
【０００８】
上記課題を解決するため、請求項１に記載の発明は、表示部の表示画面に複数の映像信号に基づく映像を表示可能な映像表示装置において、
前記表示画面は、複数の映像信号のうち、第１の映像信号に基づく映像を表示する第１表示領域と、前記第１表示領域と隣接して第２の映像信号に基づく映像を表示する第２表示領域と、を備え、
前記第１の映像信号の入力が無い場合又は前記第１の映像信号に基づく映像の表示に対して制限がある場合に、前記第１表示領域に輝度が時間とともに変化する代替画像を表示させる代替画像表示制御手段と、
前記第２表示領域に表示される映像の平均輝度を求める輝度検出手段と、
前記代替画像表示制御手段により前記第１表示領域に表示される前記代替画像の色彩及び／又は模様を設定する設定手段と、
を備え、
前記代替画像表示制御手段は、前記輝度検出手段により検出された平均輝度と、前記代替画像の輝度との輝度差が、所定の範囲内になるように、前記代替画像の輝度を変化させることを特徴とする。
【０００９】
請求項２に記載の発明は、表示部の表示画面に複数の映像信号に基づく映像を表示可能な映像表示装置において、
前記表示画面は、複数の映像信号のうち、第１の映像信号に基づく映像を表示する第１表示領域と、前記第１表示領域と隣接して第２の映像信号に基づく映像を表示する第２表示領域と、を備え、
前記第１の映像信号の入力が無い場合又は前記第１の映像信号に基づく映像の表示に対して制限がある場合に、前記第１表示領域に輝度が時間とともに変化する代替画像を表示させる代替画像表示制御手段を備えることを特徴とする。
【００１０】
請求項３に記載の発明は、請求項２に記載の映像表示装置において、前記第２表示領域に表示される映像の平均輝度を求める輝度検出手段を備え、
前記代替画像表示制御手段は、前記輝度検出手段により検出された平均輝度と、前記代替画像の輝度との輝度差が、所定の範囲内になるように、前記代替画像の輝度を変化させることを特徴とする。
【発明の効果】
【００１１】
請求項１に記載の発明によれば、表示部の表示画面は、複数の映像信号のうち、第１の映像信号に基づく映像を表示する第１表示領域と、第１表示領域と隣接して第２の映像信号に基づく映像を表示する第２表示領域と、を備え、代替画像表示制御手段は、第１の映像信号の入力が無い場合又は第１の映像信号に基づく映像の表示に対して制限がある場合に、第１表示領域に輝度が時間とともに変化する代替画像を表示させ、輝度検出手段は、第２表示領域に表示される映像の平均輝度を求め、代替画像表示制御手段は、輝度検出手段により検出された平均輝度と、代替画像の輝度との輝度差が、所定の範囲内になるように、代替画像の輝度を変化させる。従って、第１表示領域に代替画像を表示させることにより、ユーザが選局した番組が表示不可能であることを容易に認識でき、且つ、第１表示領域に表示させた代替画像の輝度を時間とともに変化させることにより、焼き付きを防止することができる映像表示装置を提供することができる。また、設定手段は、代替画像表示制御手段により表示される代替画像の色彩及び／又は模様を設定するので、第１表示領域に表示される代替画像を、趣向性に富んだものとすることができる。
【００１２】
請求項２に記載の発明によれば、表示部の表示画面は、複数の映像信号のうち、第１の映像信号に基づく映像を表示する第１表示領域と、第１表示領域と隣接して第２の映像信号に基づく映像を表示する第２表示領域と、を備え、代替画像表示制御手段は、第１の映像信号の入力が無い場合又は第１の映像信号に基づく映像の表示に対して制限がある場合に、第１表示領域に輝度が時間とともに変化する代替画像を表示させる。従って、第１表示領域に代替画像を表示させることにより、ユーザが選局した番組が表示不可能であることを容易に認識でき、且つ、第１表示領域に表示させた代替画像の輝度を時間とともに変化させることにより、焼き付きを防止することができる映像表示装置を提供することができる。
【００１３】
請求項３に記載の発明によれば、請求項２に記載の発明の効果が得られるのは無論のこと、輝度検出手段は、第２表示領域に表示される映像の平均輝度を求め、代替画像表示制御手段は、輝度検出手段により検出された平均輝度と、代替画像の輝度との輝度差が、所定の範囲内になるように、代替画像の輝度を変化させるので、第１表示領域と第２表示領域との境界における焼き付きを、より効果的に防止することができる。
【発明を実施するための最良の形態】
【００１４】
本実施形態では複数の映像信号に基づく映像を表示可能な映像表示装置として、テレビジョン受像機１００について説明を行う。
【００１５】
図１は、本実施形態におけるテレビジョン受像機１００の正面図の例示である。また、図２は、本実施形態におけるテレビジョン受像機１００の要部構成を示すブロック図である。
図１及び図２に示すように、このテレビジョン受像機１００に備わる表示部１４の表示画面１４１は、例えば、後述する２画面表示機能が選択された際には、第１表示領域１４１ａと、当該第１表示領域１４１ａに隣接する第２表示領域１４１ｂとに分割される。第１表示領域１４１ａには第１の映像信号に基づく映像が表示されるとともに、第２表示領域１４１ｂには第２の映像信号に基づく映像が表示され、ユーザは２つの異なる番組を同時に視聴することができる。
このようなテレビジョン受像機１００において、本発明では、第１の映像信号が入力されない場合又は第１の映像信号に基づく映像を、視聴制限等により表示できない場合には、第１表示領域１４１ａに輝度が時間とともに変化する代替画像を表示させる。これにより、第１表示領域１４１ａと第２表示領域１４１ｂの境界部分に発生する焼き付きを防止するとともに、第１の映像信号が入力されないこと又は第１の映像信号に基づく映像を何らかの原因により表示できないことをユーザに認識させることが可能となる。
なお、以下の説明では、仮に、表示画面１４１の表示領域のうち一方（例えば、右側領域）が第１表示領域１４１ａ、表示画面１４１のもう一方（例えば、左側領域）が第２表示領域１４１ｂとなる場合について説明するが、表示画面１４１の右側領域及び左側領域は何れもが第１表示領域１４１ａ或いは第２表示領域１４１ｂとなることができる。また、テレビジョン受像機１００に入力される２つの映像信号のうち、何れもが第１の映像信号或いは第２の映像信号となることができる。
【００１６】
図２に示すように、テレビジョン受像機１００は、例えば、第１の映像信号であるテレビジョン放送信号と第２の映像信号であるテレビジョン放送信号を受信するアンテナ１と、アンテナ１から入力された所定の周波数の第１の映像信号を選局する第１チューナ部２と、アンテナ１から入力された所定の周波数の第２の映像信号を選局する第２チューナ部３と、第１チューナ部２により選局された第１の映像信号を復調する第１復調部４と、第２チューナ部３により選局された第２の映像信号を復調する第２復調部５と、第１復調部４により復調された第１の映像信号をデコードする第１デコーダ部６と、第２復調部５により復調された第２の映像信号をデコードする第２デコーダ部７と、第１の映像信号に対して所定の映像処理を行う第１映像処理部８と、第２の映像信号に対して所定の映像処理を行う第２映像処理部９と、第１の映像信号から同期信号を分離する同期分離回路１０と、第２の映像信号から同期信号を分離する同期分離回路１１と、第１映像処理部８に入力される第１の映像信号の平均輝度或いは第２映像処理部９に入力される第２の映像信号の平均輝度を検出する輝度検出部１２と、第１映像処理部８から入力される第１の映像信号及び第２映像処理部９から入力される第２の映像信号を合成する合成部１３と、合成部１３から入力される第１の映像信号に基づく映像を第１表示領域１４１ａに表示させるとともに第２の映像信号に基づく映像を第２表示領域１４１ｂに表示させる表示部１４と、表示部１４における偏向制御を行う偏向駆動部１４２と、ユーザによるキー操作が行われるキー入力部１５と、テレビジョン受像機１００全体を統括制御する制御部１６と、等を備えて構成され、各部はバス１７により接続されている。
【００１７】
アンテナ１は、例えば、屋外において所定の方向に向けて配置されており、図示しないテレビジョン放送局から発信される高周波（ＲＦ）のテレビジョン放送信号である第１の映像信号及び第２の映像信号を受信する。
第１チューナ部２及び第２チューナ部３は、例えば、図示は省略するが、高周波増幅回路と、局部発振回路及び混合回路から成る周波数変換回路と、を備えて構成されており、アンテナ１等により入力された第１の映像信号であるテレビジョン放送信号又は第２の映像信号であるテレビジョン放送信号を、高周波増幅回路において増幅し、混合回路において局部発振回路から出力される局部発振信号と混合し、さらに、特定の周波数を選局するための制御部１６からの制御信号に応じて、特定周波数帯の中間周波信号（IF信号）を受信し、当該中間周波信号に所定の処理を行って第１復調部４又は第２復調部５に出力する。
【００１８】
第１復調部４及び第２復調部５は、例えば、制御部１６からの制御信号に従って、第１チューナ部２から出力された第１の映像信号である中間周波信号又は第２チューナ部３から出力された第２の映像信号である中間周波信号に対して、ＯＦＤＭ（Orthogonal Frequency Division Multiplexing;直交周波数分割多重）復調や誤り訂正などの処理を実行し、トランスポートストリーム（TS）を生成して、第１デコーダ部６又は第２デコーダ部７に出力する。
第１デコーダ部６及び第２デコーダ部７は、例えば、第１復調部４又は第２復調部５から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部１６に供給する。ビデオデコーダは、ＴＳデコーダから入力されたビデオストリームを復号し、逆ＤＣＴ変換や動き補償制御等を行い、映像データを生成して第１映像処理部８又は第２映像処理部９に出力する。
【００１９】
同期分離回路１０及び同期分離回路１１は、第１の映像信号又は第２の映像信号から、垂直同期信号及び水平同期信号を取り出し、制御部１６に出力する。具体的には、同期分離回路１０、同期分離回路１１は、例えば、同期信号と映像信号との振幅の差を利用して、トランジスタのカットオフ特性により映像信号を切り取る処理等により、垂直同期信号及び水平同期信号を取り出す。そして、当該同期分離回路１０から入力された同期信号及び同期分離回路１１から入力された同期信号に基づいて、制御部１６により生成された合成部１３を制御するための合成制御信号に応じて、第１の映像信号に基づく映像が第１表示領域１４１ａに、第２の映像信号に基づく映像が第２表示領域１４１ｂに表示されることとなる。
【００２０】
輝度検出部１２は、第１映像処理部８に入力される第１の映像信号の平均輝度或いは第２映像処理部９に入力される第２の映像信号の平均輝度を１フレーム毎に検出して、当該平均輝度の検出結果を制御部１６に出力する。
【００２１】
第１映像処理部８は、第１デコーダ部６から入力された第１の映像信号に対して所定の映像処理を行い、ＲＧＢ信号を生成して合成部１３に出力する。
具体的には、第１映像処理部８は、例えば、図示は省略するが、Ｙ／Ｃ分離回路、色信号復調回路及びマトリクス回路等を備えており、Ｙ／Ｃ分離回路において、輝度信号Ｙ、色信号Ｃ及び同期信号が複合されたコンポジットビデオ信号である第１の映像信号から、輝度信号Ｙと色信号Ｃを分離し、色信号復調回路において、色信号ＣをＲ−Ｙ信号及びＢ−Ｙ信号の色差信号に復調する。マトリクス回路は、色差信号Ｒ−Ｙ、Ｂ−Ｙから、所定の導出式を用いてＧ−Ｙ信号を生成し、色差信号Ｒ−Ｙ、Ｂ−Ｙ、Ｇ−Ｙのそれぞれに輝度信号Ｙを加算することにより、ＲＧＢ信号を生成する。さらに、第１映像処理部８は、制御部１６から出力される輝度調整信号に基づいて、第１の映像信号に対して輝度調整処理を行うとともに、制御部１６から出力される色調整信号に基づいて、第１の映像信号に対して色調整処理を行う。
【００２２】
第２映像処理部９は、第２デコーダ部７から入力された第２の映像信号に対して所定の映像処理を行い、ＲＧＢ信号を生成して合成部１３に出力する。
具体的には、第２映像処理部９は、例えば、第１映像処理部８と同様の構成を備えており、図示は省略するが、Ｙ／Ｃ分離回路、色信号復調回路及びマトリクス回路等を備えており、Ｙ／Ｃ分離回路において、輝度信号Ｙ、色信号Ｃ及び同期信号が複合されたコンポジットビデオ信号である第２の映像信号から、輝度信号Ｙと色信号Ｃを分離し、色信号復調回路において、色信号ＣをＲ−Ｙ信号及びＢ−Ｙ信号の色差信号に復調する。マトリクス回路は、色差信号Ｒ−Ｙ、Ｂ−Ｙから、所定の導出式を用いてＧ−Ｙ信号を生成し、色差信号Ｒ−Ｙ、Ｂ−Ｙ、Ｇ−Ｙのそれぞれに輝度信号Ｙを加算することにより、ＲＧＢ信号を生成する。さらに、第２映像処理部９は、制御部１６から出力される輝度調整信号に基づいて、第２の映像信号に対して輝度調整処理を行うとともに、制御部１６から出力される色調整信号に基づいて、第２の映像信号に対して色調整処理を行う。
【００２３】
合成部１３は、制御部１６からの合成制御信号に基づいて、第１映像処理部８から入力される第１映像信号であるＲＧＢ信号に基づく画像と、第２映像処理部９から入力される第２の映像信号であるＲＧＢ信号と基づく画像の画像合成を行う。
具体的には、合成部１３は、同期分離回路１０から入力された同期信号及び同期分離回路１１から入力された同期信号に基づいて生成された合成制御信号に基づく所定のタイミングで、第１映像処理部８或いは第２の映像処理部側に、接続を切り換える処理を行うことにより、第１の映像信号及び第２の映像信号を合成し、合成信号を表示部１４に出力する。その結果、表示部１４の表示領域Ａには第１の映像信号に基づく映像が表示されるとともに、第２表示領域１４１ｂには第２の映像信号に基づく映像が表示されることとなる。
【００２４】
表示部１４は、第１表示領域１４１ａ及び第２表示領域１４１ｂからなる表示画面１４１等を備えており、ＲＧＢの三つの電子銃から発射される電子ビームが、電子ビームの衝撃を受けて発光する結晶粒から成る蛍光面（図示省略）に、偏向駆動部１４２による制御によって衝突することにより、合成部１３から出力された合成信号に基づく映像が表示画面１４１に表示される。具体的には、表示部１４は、ユーザによるキー入力部１５の操作により、メニュー画面等において２画面表示機能が選択された際に、表示画面１４１を第１表示領域１４１ａと、当該第１表示領域１４１ａに隣接する第２表示領域１４１ｂとに分割される。そして、当該第１表示領域１４１ａには第１の映像信号に基づく映像が表示されるとともに、第２表示領域１４１ｂには第２の映像信号に基づく映像が表示される。また、表示部１４は、ユーザによるキー入力部１５の操作により、１画面表示機能が選択された場合には、第１表示領域１４１ａ及び第２表示領域１４１ｂに、第１の映像信号或いは第２の映像信号に基づく一つの映像を表示させる。
【００２５】
偏向駆動部１４２は、同期分離回路１０、同期分離回路１１から入力された垂直同期信号及び水平同期信号に基づいて制御部１６において生成された垂直偏向信号及び水平偏向信号に応じて、表示部１４における偏向制御を行う。
具体的には、偏向駆動部１４２は、例えば、表示部１４に備わる図示しない水平及び垂直の偏向コイルに、同期分離回路１０、同期分離回路１１から夫々入力された水平同期信号及び垂直同期信号に基づくのこぎり波電流を流し、それにより発生する磁界によって電子銃（図示省略）から発射される電子ビームの上下及び左右方向を制御する。
【００２６】
キー入力部１５は、例えば、リモートコントローラ（以下、リモコンという。）等であり、複数のキーを備えて構成され、キーを押下操作すると、押下されたキーに対応する入力操作信号が制御部１６に出力されるようになっている。
【００２７】
制御部１６は、ＣＰＵ（Central Processing Unit）１６１と、ＲＡＭ（Random Access Memory）１６２と、ＥＥＰＲＯＭ（Electronically Erasable and Programmable Read Only Memory）１６３と、ＲＯＭ（Read Only Memory）１６４と、等を備えて構成されている。
【００２８】
ＣＰＵ１６１は、テレビジョン受像機１００の各部からバス１７を介して入力された入力信号に応じて、ＲＯＭ１６４に格納された各種プログラムを実行するとともに、バス１７を介して各部に各種プログラムの実行に基づく制御信号を出力することにより、テレビジョン受像機１００の動作全般を統括制御する。
【００２９】
ＲＡＭ１６２は、例えば、揮発性の半導体メモリであり、ＣＰＵ１６１によって各種プログラムが実行される際に生じる処理結果や、入力されたデータを一時的に記憶し、ＣＰＵ１６１のワークエリアとして機能する。
【００３０】
ＥＥＰＲＯＭ１６３は、例えば、書き換え可能な半導体メモリであり、ＣＰＵ１６１による設定プログラム１６４ａ（後述）の実行においてユーザにより設定された代替画像の色彩・模様の設定データ１６３ａを格納している。また、例えば、図示は省略するものの、色彩・模様の初期設定データが別領域に格納されていても良い。
【００３１】
ＲＯＭ１６４は、例えば、不揮発性の半導体メモリであり、ＣＰＵ１６１によって実行される各種の制御プログラム並びに各制御プログラムの処理にかかるデータ等を記憶するものである。      
具体的には、ＲＯＭ１６４には、設定プログラム１６４ａと、輝度検出プログラム１６３ｂと、代替画像表示制御プログラム１６３ｃと、等が格納されている。
【００３２】
設定プログラム１６４ａは、例えば、ＣＰＵ１６１に、代替画像表示制御プログラム１６３ｃ（後述）の実行により第１表示領域１４１ａに表示される代替画像の色彩及び／又は模様を設定する機能を実現させるためのプログラムである。
具体的には、ＣＰＵ１６１は、ユーザによるリモコン等のキー入力部１５の操作により、代替画像の色彩・模様を設定するための設定画面の表示を要求する入力操作信号が制御部１６に入力されると、当該設定プログラム１６４ａの実行により、代替画像の色彩・模様を設定するための代替画像設定画面を表示部１４に表示させる。当該代替画像設定画面には、例えば、図３に示すように、代替画像の色彩と模様を複数のテンプレートから選択できるようにおり、当該設定画面において、ユーザによるキー入力部１５の操作により所望の色彩及び模様が夫々選択されると、当該選択された色彩・模様の設定データ１６３ａがＥＥＰＲＯＭ１６３に格納される。そして、ＥＥＰＲＯＭ１６３に格納された設定データ１６３ａに基づいて、後述する代替画像表示制御プログラム１６３ｃの実行により第１表示領域１４１ａに表示される代替画像が決定されることとなる。すなわち、代替画像設定画面においてユーザに提示される模様を有する画像データは、ＲＯＭ１６４の所定の領域に格納されており、その中から代替画像として決定された画像データが代替画像表示制御プログラム１６３ｃ（後述）の実行において、ＣＰＵ１６１により読み出され、第１映像処理部８において代替画像設定画面において設定された色彩に基づく色調整処理及び輝度調整処理が行われて、第１表示領域１４１ａに代替画像として表示されることとなる。また、当該代替画像の模様のテンプレートは、例えば動画であり、焼き付きの防止に効果的なものがユーザに提示される。
ＣＰＵ１６１は、かかる設定プログラム１６４ａを実行することにより、設定手段として機能する。
【００３３】
輝度検出プログラム１６３ｂは、例えば、ＣＰＵ１６１に、第２表示領域１４１ｂに表示される映像の平均輝度を求める機能を実現させるためのプログラムである。
具体的には、ＣＰＵ１６１は、輝度検出部１２において、第２映像処理部９に入力される第２の映像信号の平均輝度レベル（ＡＰＬ）を１フレーム毎に検出し、検出した平均輝度レベルを制御部１６に出力する。この平均輝度レベルは、例えば、輝度値０〜輝度値２５５の２５６階調で示される。
ＣＰＵ１６１は、かかる輝度検出プログラム１６３ｂを実行することにより、輝度検出部１２とともに、輝度検出手段として機能する。
【００３４】
代替画像表示制御プログラム１６３ｃは、例えば、ＣＰＵ１６１に、第１の映像信号の入力が無い場合又は第１の映像信号に基づく映像の表示に対して制限がある場合に、第１表示領域１４１ａに輝度が時間とともに段階的に変化する代替画像を表示させ、さらに、輝度検出プログラム１６３ｂの実行により検出された平均輝度と、代替画像の輝度との輝度差が、所定の範囲内になるように、代替画像の輝度を変化させる機能を実現させるプログラムである。
具体的には、ＣＰＵ１６１は、キー入力部１５の操作により選局した番組のテレビジョン放送信号が受信できない、又は、選局した番組が視聴制限番組に該当して映像がブロックされている、若しくは、テレビジョン受像機１００に接続された外部映像装置からの映像信号が停止している等の何らかの理由により、第１の映像信号の入力が無い場合又は第１の映像信号に基づく映像の表示に対して制限がある場合に、第１表示領域１４１ａに、設定プログラム１６４ａの実行によりＥＥＰＲＯＭ１６３に記憶された設定データ１６３ａに基づく代替画像を表示させる。この代替画像は、設定プログラム１６４ａの実行により設定された色彩・模様を有する画像であり、ＲＯＭ１６４の図示しない所定の領域に格納された画像データが読み出され、第１映像処理部８において輝度調整処理及び色調整処理が行われて第１表示領域１４１ａに表示される。より具体的には、ＣＰＵ１６１は、第１映像処理部８に対して輝度調整信号を出力することで、所定の時間間隔で（例えば、５秒毎に）、輝度検出プログラム１６３ｂの実行により検出された第２表示領域１４１ｂに表示される第２の映像信号に基づく映像の平均輝度レベルを中心とする所定の範囲で（例えば、平均輝度レベルを中心とする輝度値−１０〜＋１０）、輝度値を所定の輝度値ずつ（例えば、輝度値５ずつ）段階的に変化させる輝度調整処理を行うとともに、第１映像処理部８に対して色調整信号を出力することで、代替画像の色彩を設定プログラム１６４ａの実行により設定された色彩とする色調整処理を行う。
ＣＰＵ１６１は、かかる代替画像表示制御プログラム１６３ｃを実行することにより、代替画像表示制御手段として機能する。
【００３５】
ここで、当該代替画像表示制御プログラム１６３ｃの実行により、第１表示領域１４１ａに表示される代替画像の例を、図４を用いて具体的に説明する。
ＣＰＵ１６１は、テレビジョン受像機１００に第１の映像信号の入力がされない又は当該テレビジョン受像機１００に入力される第１の映像信号に基づく映像の表示に対して制限があると判断すると、ＥＥＰＲＯＭ１６３に格納された設定データ１６３ａを参照して、ＲＯＭ１６４に格納された画像データに基づいて、設定データ１６３ａの色彩・模様を有する代替画像を生成し、生成した代替画像を第１表示領域１４１ａに表示させる。そして、輝度検出部１２において第２表示領域１４１ｂに表示される映像の平均輝度レベルを１フレーム毎に検出させ、第１映像処理部８において、輝度検出部１２により検出された第２表示領域１４１ｂの映像の平均輝度レベルを中心とする所定の範囲で、代替画像の輝度を段階的に変化させる処理を行う。
具体的には、ＣＰＵ１６１は、例えば、輝度検出部１２により検出された第２表示領域１４１ｂの映像の平均輝度レベルが輝度値６０である場合には、代替画像の輝度を、当該輝度値６０に＋５を演算した輝度値６５とし（図４（ａ））、５秒後に、輝度検出部１２により検出される第２表示領域１４１ｂの映像の平均輝度レベルが輝度値６０である場合には、代替画像の輝度を、当該輝度値６０に＋１０を演算した輝度値７０とする（図４（ｂ））。さらに、５秒後に、輝度検出部１２により検出された第２表示領域１４１ｂの映像の平均輝度レベルが輝度値７５である場合には、代替画像の輝度を、当該輝度値７５に＋５を演算した輝度値８０とし（図４（ｃ））、さらに、５秒後に、第２表示領域１４１ｂの映像の平均輝度レベルが輝度値８０である場合には、代替画像の輝度を、当該輝度値８０に±０を演算した輝度値８０とし（図４（ｄ））、またさらに、５秒後に、第２表示領域１４１ｂの映像の平均輝度レベルが輝度値８０である場合には、代替画像の輝度を、当該輝度値８０に−５を演算した輝度値７５とする（図４（ｅ））。すなわち、５秒毎に検出した第２表示領域１４１ｂの映像の平均輝度が６０→６０→７５→８０→８０である場合には、それに伴って第１表示領域１４１ａの代替画像の輝度は６５→７０→８０→８０→７５と変化することとなる。
【００３６】
次に、図５を参照しながらＣＰＵ１６１による映像表示可／不可判断処理について説明する。
ＣＰＵ１６１は、図５のステップＳ１において、ユーザのキー操作等により選局されたチャンネルの映像信号が、第１チューナ２或いは第２チューナ３により受信可能か否かを判断する。ＣＰＵ１６１は、ステップＳ１において、映像信号が受信可能でないと判断すると（ステップＳ１；Ｎｏ）、ステップＳ４に進む。一方、ＣＰＵ１６１は、ステップＳ１において、映像信号が受信可能であると判断すると（ステップＳ１；Ｙｅｓ）、続くステップＳ２において、ユーザにより設定された映像信号が視聴制限番組に該当するか否かを判断する。ＣＰＵ１６１は、ステップＳ２において、映像信号が視聴制限番組に該当すると判断すると（ステップＳ２；Ｙｅｓ）、ステップＳ４に進み、一方、映像信号が視聴制限番組に該当しないと判断すると（ステップＳ２；Ｎｏ）、ステップＳ３において、映像が表示可能であるとして前述した映像信号処理に移行し、本処理を終了する。一方、ステップＳ４において、ＣＰＵ１６１は、当該映像信号に基づく映像が表示不可能であるとして、本処理を終了する。
【００３７】
次に、ＣＰＵ１６１による輝度検出プログラム１６３ｂ、代替画像表示制御プログラム１６３ｃの実行に基づく代替画像表示処理について、図６を参照しながら説明する。
ＣＰＵ１６１は、図６のステップＳ１１において、第１表示領域１４１ａ及び第２表示領域１４１ｂに異なる映像を表示させる２画面表示を行う設定がなされているか否かを判断する。ＣＰＵ１６１は、ステップＳ１１において、２画面表示設定がなされていると判断すると（ステップＳ１１；Ｙｅｓ）、次に、前述した映像表示可／不可判断処理の実行により、表示部１４の左側領域の映像が表示不可能であるか否かを判断する（ステップＳ１２）。ＣＰＵ１６１は、ステップＳ１２において、表示部１４の左側領域の映像が表示不可能であると判断すると（ステップＳ１２；Ｙｅｓ）、当該左側領域を第１表示領域１４１ａ、右側領域を第２表示領域１４１ｂとして、第２表示領域１４１ｂに表示される映像の平均輝度を検出し、検出した平均輝度に基づいて、第１表示領域１４１ａに輝度が時間とともに段階的に変化する代替画像を表示させ（ステップＳ１３）、続くステップＳ１４において、２画面表示の終了を指示する入力等がなされて２画面表示が終了したか否かを判断する。ＣＰＵ１６１は、ステップＳ１４において、２画面表示が終了していないと判断すると（ステップＳ１４；Ｎｏ）、ステップＳ１２に戻って以上の処理を繰り返し、２画面表示が終了したと判断すると（ステップＳ１４；Ｙｅｓ）、ステップＳ１５において、１画面表示処理に移行し、本処理を終了する。
一方、ＣＰＵ１６１は、ステップＳ１２において、表示部１４の左側領域の映像が表示不可能でないと判断すると（ステップＳ１２；Ｎｏ）、続いて、前述した映像表示可／不可判断処理により表示部１４の右側領域の映像が表示不可能であるか否かを判断する（ステップＳ１６）。ＣＰＵ１６１は、ステップＳ１６において、表示部１４の右側領域の映像が表示不可能であると判断すると（ステップＳ１６；Ｙｅｓ）、当該右側領域を第１表示領域１４１ａ、左側領域を第２表示領域１４１ｂとして、第２表示領域１４１ｂに表示される映像の平均輝度を検出し、検出した平均輝度に基づいて、第１表示領域１４１ａに輝度が時間とともに変化する代替画像を表示させ（ステップＳ１７）、続くステップＳ１８において、２画面表示の終了を指示する入力等がなされて２画面表示が終了したか否かを判断する。ＣＰＵ１６１は、ステップＳ１８において、２画面表示が終了していないと判断すると（ステップＳ１８；Ｎｏ）、ステップＳ１２に戻って以上の処理を繰り返し、一方、２画面表示が終了したと判断すると（ステップＳ１８；Ｙｅｓ）、ステップＳ１９において、１画面表示処理に移行し、本処理を終了する。
一方、ＣＰＵ１６１は、ステップＳ１６において、表示部１４の右側領域の映像が表示不可能でないと判断すると（ステップＳ１６；Ｎｏ）、ステップＳ２０において、二画面表示処理を行い、ステップＳ１１に戻って以上の処理を繰り返す。
【００３８】
以上説明した本実施形態におけるテレビジョン受像機１００によれば、表示部１４の表示画面１４１は、複数の映像信号のうち、第１の映像信号に基づく映像を表示する第１表示領域１４１ａと、第１表示領域１４１ａと隣接して第２の映像信号に基づく映像を表示する第２表示領域１４１ｂと、を備える。そして、ＣＰＵ１６１による代替画像表示制御プログラム１６３ｃの実行により、第１の映像信号の入力が無い場合又は第１の映像信号に基づく映像の表示に対して制限がある場合に、第１表示領域１４１ａに輝度が時間とともに変化する代替画像が表示され、また、輝度検出プログラム１６３ｂの実行により、第２表示領域１４１ｂに表示される映像の平均輝度が求められる。さらに、ＣＰＵ１６１による代替画像表示制御プログラム１６３ｃの実行により、輝度検出プログラム１６３ｂの実行により検出された平均輝度と、代替画像の輝度との輝度差が、所定の範囲内になるように、代替画像の輝度が変化させられる。従って、第１表示領域１４１ａに代替画像を表示させることにより、ユーザが選局した番組が表示不可能であることを容易に認識でき、且つ、第１表示領域１４１ａに表示させた代替画像の輝度を時間とともに変化させることにより、焼き付きを防止することができるテレビジョン受像機１００を提供することができる。
また、設定プログラム１６４ａの実行により、代替画像表示制御プログラム１６３ｃの実行により表示される代替画像の色彩及び／又は模様が設定されるので、第１表示領域１４１ａに表示される代替画像を、趣向性に富んだものとすることができる。
【００３９】
なお、本発明は上記実施の形態で例示したものに限られず、本発明の趣旨を逸脱しない範囲において、種々の改良並びに設定の変更を行って良い。
例えば、代替画像は動画に限られることなく、静止画を順次切り替える構成であっても良い。
また、例えば、表示画面１４１に備わる表示領域の数は３つ以上であっても良く、さらに、表示部１４は、表示画面１４１全体に表示された親画面の一部に子画面が縮小表示されるピクチャインピクチャ（ＰｉｎＰ）表示を行う構成であっても良い。
また、例えば、代替画像表示制御プログラム１６３ｃの実行による代替画像の輝度は、段階的に変化する構成でなくてもよく、ランダムに変化する構成であっても良い。
また、輝度検出プログラム１６３ｂの実行による第２表示領域１４１ｂに表示される映像の平均輝度の検出は、１フレーム単位で順次検出される構成でなくてもよく、一定期間内の輝度を検出する構成であっても良い。
また、映像表示装置は、テレビジョン受像機１００に限られず、パソコン（Personal Computer）等であっても良い。さらに、表示部１４はＣＲＴ（Cathode Ray Tube）ディスプレイに限られず、ＰＤＰ（Plasma Display Panel）、ＬＣＤ（Liquid Crystal Display）、有機ＥＬ（Electro Luminescence）ディスプレイ等であっても良い。
【図面の簡単な説明】
【００４０】
【図１】本実施形態におけるテレビジョン受像機の正面図の例示である。
【図２】本実施形態におけるテレビジョン受像機の要部構成を示すブロック図である。
【図３】設定プログラムの実行に際して表示部に表示される代替画像設定画面の例示である。
【図４】代替画像表示制御プログラムの実行に際して第１表示領域に表示される代替画像を例示する図である。
【図５】ＣＰＵによる映像表示可／不可判断処理を示すフローチャートである。
【図６】ＣＰＵによる輝度検出プログラム及び代替画像表示制御プログラムの実行に基づく代替画像表示処理を示すフローチャートである。
【符号の説明】
【００４１】
１００    テレビジョン受像機（映像表示装置）
１２      輝度検出部（輝度検出手段）
１４      表示部
１４１    表示画面
１４１ａ  第１表示領域
１４１ｂ  第２表示領域
１６１    ＣＰＵ（設定手段、輝度検出手段、代替画像表示制御手段）
１６４ａ  設定プログラム（設定手段）
１６４ｂ  輝度検出プログラム（輝度検出手段）
１６４ｃ  代替画像表示制御プログラム（代替画像表示制御手段）
【図１】
2007324844.tif 000003
【図２】
2007324844.tif 000004
【図３】
2007324844.tif 000005
【図４】
2007324844.tif 000006
【図５】
2007324844.tif 000007
【図６】
2007324844.tif 000008